(57)【要約】【課題】心理検査の結果が示すユーザの心理にとって好適な目標設定のためのチェックシートを、ユーザ毎に提供することができ、その結果、個々のユーザに対し適切な目標設定の支援をすること。【解決手段】大目標毎に複数の中目標又は小目標を、ユーザにより設定されるチェック項目として提示する情報処理装置１１は、心理検査結果取得部１１１と、提示形態設定部１１２と、提示制御部１１３と、を備える。心理検査結果取得部１１１は、ユーザが受けた心理検査の結果を取得する。提示形態設定部１１２は、心理検査の結果に応じて、チェックシートに提示する中目標又は小目標のチェック項目の提示形態を設定する。提示制御部１１３は、複数の大目標毎に複数の中目標又は小目標のチェック項目を、提示形態設定部１１２により設定された提示形態で提示する制御を実行する。【選択図】図４
2014067363.tif 000002
【特許請求の範囲】
【請求項１】
目標の大分類毎に複数の小分類を、ユーザにより設定される目標の候補として提示する情報処理装置において、
ユーザが受けた心理検査の結果を取得する心理検査結果取得手段と、
前記心理検査の結果に応じて、前記小分類の提示形態を設定する提示形態設定手段と、
複数の大分類毎に複数の小分類を、前記提示形態設定手段により設定された前記提示形態で提示する制御を実行する提示制御手段と、
を備える情報処理装置。
【請求項２】
前記提示形態設定手段は、
過去に目標に到達した複数の人毎に、心理検査の結果と設定目標とが対応付けられて記憶されている過去ログデータベースを参照して、ユーザと同一又は類似の心理検査の結果を有する人を特定し、
当該人の設定目標を前記過去ログデータベースから抽出し、
当該設定目標に基づいて前記小分類の提示形態を設定する、
ことを特徴とする請求項１に記載の情報処理装置。
【請求項３】
前記提示形態設定手段は、
複数の大分類毎に、複数の小分類の中で設定対象として推薦すべき小分類の提示形態を、他の小分類とは異なる提示形態で設定する、
ことを特徴とする請求項１に記載の情報処理装置。
【請求項４】
目標の大分類毎に複数の小分類を、ユーザにより設定される目標の候補として提示する情報処理装置が実行する情報処理方法であって、
ユーザが受けた心理検査の結果を取得する心理検査取得手段と、
前記心理検査の結果に応じて、前記小分類の提示形態を設定する提示形態設定手段と、
複数の大分類毎に複数の小分類を、前記提示形態設定手段により設定された前記提示形態で提示する制御を実行する提示制御手段と、
を含むことを特徴とする情報処理方法。
【請求項５】
目標の大分類毎に複数の小分類を、ユーザにより設定される目標の候補として提示するコンピュータを、
ユーザが受けた心理検査の結果を取得する心理検査取得手段、
前記心理検査の結果に応じて、前記小分類の提示形態を設定する提示形態設定手段、
複数の大分類毎に複数の小分類を、前記提示形態設定手段により設定された前記提示形態で提示する制御を実行する提示制御手段、
として機能させることを特徴とするプログラム。
【発明の詳細な説明】
【技術分野】
【０００１】
本発明は、情報処理装置、情報処理方法およびプログラムに関する。
【背景技術】
【０００２】
従来から、設問毎に選択肢をそれぞれ選択することにより人の特性を複数項目にわたって観察可能になるチェックシートの選択内容と、標本集団を形成する基準統計量と、を比較することにより、ユーザの持つ特性を評価する評価装置が知られている（例えば、特許文献１参照）。
また、ユーザのチェックシート等に対する適正検査結果等に基づいて、ユーザの行動パターンを予測する支援装置が知られている（例えば、特許文献２参照）。
このような装置では、ユーザの端末に対して、選択内容を表す各項目をチェックシート等を提示することにより、ユーザに対しチェック項目に対するチェックを促すことができる。
【先行技術文献】
【特許文献】
【０００３】
【特許文献１】特開２００１−３１２５７９号公報
【特許文献２】特開２００１−３１８５８５号公報
【発明の概要】
【発明が解決しようとする課題】
【０００４】
しかしながら、特許文献１を含め従来の装置では、誰がチェックする場合であっても、チェックシートに提示される項目は、一律に同じ項目が提示されることになる。即ち、人は個性を有するため、人毎にチェックしなければならない項目は、異なるはずであるところ、チェック項目は全ての人に対し一律であるため、不必要な項目が提示されたり、必要以上に多くの項目が提示されたりしていた。したがって、従来の装置を使用して、目標をチェックするチェックシートが提示された場合には、ユーザは適切な目標の項目を選択できない場合があった。
【０００５】
本発明は、このような状況に鑑みてなされたものであり、目標設定のためのチェックシート等として、ユーザ毎に好適なものを提供することができ、その結果、個々のユーザに対し適切な目標設定の支援をすることを目的とする。
【課題を解決するための手段】
【０００６】
上記目的を達成するため、本発明の一態様の情報処理装置は、
目標の大分類毎に複数の小分類を、ユーザにより設定される目標の候補として提示する情報処理装置において、
ユーザが受けた心理検査の結果を取得する心理検査結果取得手段と、
前記心理検査の結果に応じて、前記小分類の提示形態を設定する提示形態設定手段と、
複数の大分類毎に複数の小分類を、前記提示形態設定手段により設定された前記提示形態で提示する制御を実行する提示制御手段と、
を備えることを特徴とする。
【０００７】
ここで、心理検査とは、知能検査、発達検査、性格検査の他、行動・社会性検査（業務習熟度検査も含む）、職業適性検査、進路適性検査、その他人間の心理の検査をいう。
この構成によれば、各ユーザの心理検査の結果に応じて目標の小分類の提示形態を設定することができる。したがって、設定された提示形態の形式でチェックシートを提示することにより、心理検査の結果が示すユーザの心理にとって好適な目標設定の候補を提示するチェックシートを、ユーザ毎に提供することができる。その結果、個々のユーザに対し適切な目標設定の支援をすることができる。
【０００８】
また、本発明の別の態様の情報処理装置において、
前記提示形態設定手段は、
過去に目標に到達した複数の人毎に、心理検査の結果と設定目標とが対応付けられて記憶されている過去ログデータベースを参照して、ユーザと同一又は類似の心理検査の結果を有する人を特定し、
当該人の設定目標を前記過去ログデータベースから抽出し、
当該設定目標に基づいて前記小分類の提示形態を設定する、
ことを特徴とする。
【０００９】
この構成によれば、過去のユーザの心理検査の結果と目標とに基づいて目標の小分類の提示形態を設定することができる。したがって、設定された提示形態の形式でチェックシートを提示することにより、ユーザの心理にとって好適な目標設定の候補を提示するチェックシートを、過去のユーザの心理結果とその心理結果に対応する目標と、に基づいてユーザ毎に提供することができる。これにより、過去に目標を到達した人の中で、心理検査の結果が類似している人を参考にすることで、より適切なチェックシートの提供を行うことができる。その結果、個々のユーザに対し適切な目標設定の支援をすることができる。
【００１０】
また、本発明の別の態様の情報処理装置において、
前記提示形態設定手段は、
複数の大分類毎に、複数の小分類の中で設定対象として推薦すべき小分類の提示形態を、他の小分類とは異なる提示形態で設定する、
ことを特徴とする。
【００１１】
この構成によれば、ユーザに推薦すべき目標の小分類の提示形態を設定することができる。したがって、設定された提示形態の形式でチェックシートを提示することにより、ユーザの心理にとって好適な目標設定の候補を提示するチェックシートを、推薦すべき提示形態で、ユーザ毎に提供することができる。その結果、個々のユーザに対し適切な目標設定の支援をすることができる。
【００１２】
本発明の一態様の情報処理方法およびプログラムは、上述の本発明の一態様の情報処理装置に対応する方法およびプログラムである。従って、本発明の一態様の情報処理方法およびプログラムは、上述の本発明の一態様の情報処理装置と基本的に同様の作用効果を奏する。
【発明の効果】
【００１３】
本発明によれば、心理検査の結果が示すユーザの心理にとって好適な目標設定のためのチェックシートを、ユーザ毎に提供することができ、その結果、個々のユーザに対し適切な目標設定の支援をすることができる。
【図面の簡単な説明】
【００１４】
【図１】本発明の一実施形態に係る目標設定アシストシステムの構成を示す図である。
【図２】図１の目標設定アシストシステムのうち情報処理装置のハードウェアの構成を示すブロック図である。
【図３】図１の目標設定アシストシステムのうちユーザ端末のハードウェアの構成を示すブロック図である。
【図４】図２の情報処理装置および図３のユーザ端末の機能的構成のうち、目標設定アシスト処理を実行するための機能的構成を示す機能ブロック図である。
【図５】チェックシートに提示する目標の中分類のチェック項目の提示形態を示す図である。
【図６】チェックシートに提示する小目標のチェック項目の提示形態を示す図である。
【図７】順位順に提示された小目標の提示形態を示す図である。
【図８】図１の目標設定アシストシステムを構成する情報処理装置およびユーザ端末が目標設定アシスト処理をそれぞれ実行する場合における相互の処理の関係について説明するアローチャートである。
【発明を実施するための形態】
【００１５】
以下、図面を参照しながら、本発明の実施形態について説明する。
【００１６】
図１は、本発明の一実施形態に係る目標設定アシストシステム１０の構成を示す図である。
本実施形態の目標設定アシストシステム１０は、１人又は複数人のユーザに対して、複数の目標の候補により構成されたチェックシートを提示することにより、当該ユーザの目標設定を補助する目的で使用される。本実施形態においては、チェックシートに提示される複数の目標の候補として、例えば、複数のチェック項目が提示される。チェック項目は、目標と当該目標に対するチェックボックスにより構成される。チェックボックスは、空白の四角により構成されたＧＵＩ（Ｇｒａｐｈｉｃａｌ  Ｕｓｅｒ  Ｉｎｔｅｒｆａｃｅ）の構成要素の一種であり、空白の四角の中にレ点などのチェックマークを付すことにより、１以上の項目から所望の項目を選択するのに使用される。
【００１７】
図１に示すように、本実施形態に係る目標設定アシストシステム１０は、情報処理装置１１と、ｎ人（ｎは１以上の整数値）の各ユーザの各々に使用されるｎ台のユーザ端末１２―１〜１２―ｎと、を有している。情報処理装置１１と、ユーザ端末１２―１〜１２―ｎとのそれぞれは、インターネット（Ｉｎｔｅｒｎｅｔ）回線等のネットワーク１３を介して相互に接続されている。
以下、ユーザ端末１２―１〜１２―ｎを個々に区別する必要がない場合、これらをまとめて、「ユーザ端末１２」と単に呼ぶ。また、ユーザ端末１２と呼んでいる場合には、その構成要素の符号についても、１〜ｎを省略して説明する。
【００１８】
情報処理装置１１は、本実施形態では例えばサーバ用のコンピュータで構成されている。情報処理装置１１は、目標の大分類毎に複数の小分類を、ユーザにより設定される目標の候補として予め記憶する。
ユーザ端末１２は、本実施形態では例えば、所定のユーザにより携帯されるスマートフォンで構成されている。所定のユーザが使用するユーザ端末１２−ｋ（ｋは、１〜ｎのうちの任意の整数値）は、当該ユーザの心理検査の結果を示す心理検査結果の内容を示す情報（以下、「心理検査結果情報」と呼ぶ）を生成して、情報処理装置１１に送信する。心理検査の結果、例えば、Ａさんは、「他人の意見を聞かない傾向がある」、「理解力に欠ける傾向がある」「他人の意見を聞かない傾向がある」、「文章作成能力に劣る傾向がある」という判断が行われる。
情報処理装置１１は、ユーザ端末１２−ｋから送信された心理検査結果情報を取得する。そして、情報処理装置１１は、取得した心理検査結果情報に応じて、目標の大分類毎に設定される小分類のチェック項目の提示形態を設定する。情報処理装置１１は、小分類のチェック項目の提示形態として、チェック項目の内容、個数および順番等を可変して設定する。そして、情報処理装置１１は、設定した提示形態で構成したチェックシートをユーザ端末１２−ｋで提示する制御を実行する。情報処理装置１１は、設定したチェック項目の提示形態で提示する制御の実行を行うために、設定したチェック項目の提示形態でチェックシートを構成し、構成したチェックシートの構成の情報（以下、「チェックシート構成情報」と呼ぶ）をユーザ端末に送信する。ユーザ端末１２−ｋは、情報処理装置１１から送信されたチェックシート構成情報に基づいて、設定されたチェック項目の提示形態により構成されたチェックシートをディスプレイを通じてユーザに提示する。
【００１９】
さらに以下、目標設定アシストシステム１０の各構成要素、即ち情報処理装置１１およびユーザ端末１２の各々の詳細について説明する。
【００２０】
図２は、図１の目標設定アシストシステム１０のうち情報処理装置１１のハードウェアの構成を示すブロック図である。
【００２１】
情報処理装置１１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０と、を備えている。
【００２２】
ＣＰＵ２１は、ＲＯＭ２２に記録されているプログラム、又は、記憶部２８からＲＡＭ２３にロードされたプログラムに従って各種の処理を実行する。
【００２３】
ＲＡＭ２３には、ＣＰＵ２１が各種の処理を実行する上において必要なデータ等も適宜記憶される。
【００２４】
ＣＰＵ２１、ＲＯＭ２２およびＲＡＭ２３は、バス２４を介して相互に接続されている。このバス２４にはまた、入出力インターフェース２５も接続されている。入出力インターフェース２５には、出力部２６、入力部２７、記憶部２８、通信部２９およびドライブ３０が接続されている。
【００２５】
出力部２６は、ディスプレイやスピーカ等で構成され、画像や音声を出力する。
入力部２７は、電源ボタン、操作ボタン等各種ボタン等で構成され、ユーザの指示操作に応じて各種情報を入力する。
記憶部２８は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、ユーザにより設定される目標の候補の情報等の各種情報のデータを記憶する。
【００２６】
通信部２９は、インターネットを含むネットワーク１３を介してユーザ端末１２との間で行う通信を制御する。
【００２７】
ドライブ３０には、磁気ディスク、光ディスク、光磁気ディスク、あるいは半導体メモリ等よりなる、リムーバブルメディア４１が適宜装着される。ドライブ３０によってリムーバブルメディア４１から読み出されたプログラムは、必要に応じて記憶部２８にインストールされる。また、リムーバブルメディア４１は、記憶部２８に記憶されている目標の候補の情報等の各種データも、記憶部２８と同様に記憶することができる。
【００２８】
図３は、図１の目標設定アシストシステム１０のうちユーザ端末１２のハードウェアの構成を示すブロック図である。
【００２９】
ユーザ端末１２は、ＣＰＵ５１〜ドライブ６０を備えている。ＣＰＵ５１〜ドライブ６０の各々は、上述した図２のＣＰＵ２１〜ドライブ３０の各々と基本的に同様の機能と構成を有している。したがって、ＣＰＵ５１〜ドライブ６０の個々の説明は、ここでは省略する。
なお、ユーザ端末１２は本実施形態ではスマートフォンで構成されているので、入力部５７に含まれる各種ボタン等には、ハードウェアボタンのみならず、出力部５６の画面に表示されるソフトウェアボタンも含まれる。即ち、入力部５７は、出力部５６のディスプレイに積層されるタッチパネルも含むように構成されている。
また、通信部５９は、インターネットを含むネットワーク１３を介して情報処理装置１１との間で行う通信を制御する。
【００３０】
図４は、図２の情報処理装置１１および図３のユーザ端末１２の機能的構成のうち、目標設定アシスト処理を実行するための機能的構成を示す機能ブロック図である。
目標設定アシスト処理とは、次のような一連の処理をいう。即ち、ユーザ端末１２は、ユーザの入力操作により受け付けられた心理検査の結果に基づいて心理検査結果情報を生成して情報処理装置１１に送信する。情報処理装置１１は、当該心理検査結果情報を受信すると、記憶部２８に記憶する。情報処理装置１１は、記憶部２８に記憶されている心理検査結果情報を取得し、取得した心理検査結果情報に応じて、チェック項目の提示形態を可変設定してチェックシートを構成する。情報処理装置１１は、構成したチェックシートの提示形態の情報をユーザ端末１２に送信する。ユーザ端末１２は、受信したチェックシートの提示形態の情報に基づきチェックシートをディスプレイに提示する。
【００３１】
初めに、図４を参照して、情報処理装置１１の機能的構成について説明する。
ＣＰＵ２１においては、目標設定アシスト処理の実行が制御される場合、心理検査結果取得部１１１と、提示形態設定部１１２と、提示制御部１１３と、が機能する。
また、記憶部２８の一領域には、心理検査結果記憶部１３１と、過去ログデータベース１３２（以下、「過去ログＤＢ１３２」と略記する）と、目標項目データベース１３３（以下、「目標項目ＤＢ１３３」と略記する）と、が格納されている。心理検査結果記憶部１３１には、ユーザ端末１２から送信された心理検査結果情報が記憶される。過去ログＤＢ１３２には、過去に目標に到達した複数の人毎に、心理検査の結果と設定目標とが対応付けられて記憶されている。目標項目ＤＢ１３３には、大目標毎に設定された小目標が対応付けられて記憶されている。
【００３２】
心理検査結果取得部１１１は、ユーザ端末１２から適宜送信された、ユーザが受けた心理検査の結果を示す心理検査結果情報を受信して、心理検査結果記憶部１３１に記憶する。そして、心理検査結果取得部１１１は、心理検査結果記憶部１３１に記憶された心理検査結果情報を取得する。心理検査結果取得部１１１は、取得した心理検査結果情報を提示形態設定部１１２に送信する。
【００３３】
提示形態設定部１１２は、心理検査の結果に応じて、チェックシートに提示するチェック項目の提示形態を可変設定する。具体的には、提示形態設定部１１２は、設定するチェック項目の提示形態として、チェック項目の内容、チェック項目の個数、チェック項目を提示する順番等の提示形態を可変して設定する。
具体的には、提示形態設定部１１２は、過去ログＤＢ１３２を参照して、ユーザと同一又は類似の心理検査の結果を有する人を特定する。そして、提示形態設定部１１２は、当該人の設定目標を過去ログＤＢ１３２から抽出し、当該設定目標に基づいて小分類の提示形態を設定する。
また、提示形態設定部１１２は、複数の大分類毎に、複数の小分類の中で設定対象として推薦すべき小分類の提示形態を、他の小分類とは異なる提示形態で設定する。
提示形態設定部１１２は、設定した提示形態の情報を提示制御部１１３へ供給する。次に、図５〜図７を参照して、チェックシートに提示する目標の提示形態について説明する。
【００３４】
図５〜図７は、チェックシートに提示する目標のチェック項目を示す図である。
図５は、チェックシートに提示する目標の中分類のチェック項目の提示形態を示す図である。
図５に示すように、チェックシートの列には、ユーザの地位等の立場を示す複数の階層が設定され、チェックシートの行には、目標の大分類として複数の大目標の項目が設定されている。
チェックシートに設定されている、ユーザの地位等の立場を示す複数の階層として、それぞれ「新人」、「中堅」、「管理職」、「営業」、「その他」が設定されている。また、チェックシートに設定されている複数の大目標としては、それぞれ「土台」、「ビジネススキル」、「マネジメントスキル」、「その他」が設定されている。
各階層の各大目標毎に、目標の小分類として複数の中目標の項目が設定されている。各中目標の項目には、チェックボックスが設定されている。例えば、ユーザがユーザ端末１２の入力部５７を介して、中目標として「聞く力」を選択した場合には、「聞く力」の中目標に対応するチェックボックスにチェックマーク（レ点）が付される。
本実施形態において、小分類とは、大分類と比較して相対的に小さい分類をいう。したがって、中目標は、大目標に対して小分類となるが、小目標もまた、大目標と比較して小さい分類であるので、大目標に対して小分類となる。さらに、小目標は、中目標と比較しても小さい分類であるので、中目標に対して小分類となる。
図５の例では、「新人」の階層のうち、「ビジネススキル」の大目標に対応する欄には、各中目標の提示形態が設定されている。
【００３５】
ここで、ユーザの心理検査の結果に応じて、各中目標の提示形態が設定される具体例について説明する。
ユーザの心理検査の結果が、「他人の意見を聞かない傾向がある」、「理解力に欠ける傾向がある」と判断された場合について説明する。この場合、情報処理装置１１の提示形態設定部１１２は、「他人の意見を聞かない傾向がある」という欠点を克服する目標として、「聞く力」を中目標の提示形態として設定する。同様に、情報処理装置１１の提示形態設定部１１２は、「理解力に欠ける傾向がある」という欠点を克服する目標として、「考える力」を中目標の提示形態として設定する。
上記とは別の例としてさらに、ユーザの心理検査の結果が、「他人の意見を聞かない傾向がある」、「文章作成能力に劣る傾向がある」と判断された場合について説明する。この場合、情報処理装置１１の提示形態設定部１１２は、「他人の意見を聞かない傾向がある」という欠点を克服する目標として、「聞く力」を中目標の提示形態として設定する。同様に、情報処理装置１１の提示形態設定部１１２は、「文章作成能力に劣る傾向がある」という欠点を克服する目標として、「書く力」を中目標の提示形態として設定する。
このように、ユーザの心理検査の結果に応じて、中目標の提示形態が可変する。
ユーザが、ユーザ端末１２の入力部５７を介して各中目標に対応するチェックボックスに対し、チェックマーク（レ点）を付したり、クリック操作を行うと、各中目標に対する小目標がウィンドウとしてポップアップする。次に、図６を参照して、チェックシートに提示する小目標のチェック項目の提示形態について説明する。
【００３６】
図６は、チェックシートに提示する小目標のチェック項目の提示形態を示す図である。
図６に示すように、中目標の項目名と、当該中目標の項目名に対応した、複数の小目標のチェック項目が設定されている。
本実施形態においては、中目標「マナー」に対応する小目標として、「あいさつ」、「××××」のチェック項目が設定されている。そして、各小目標のチェック項目には、チェックボックスと、「未完了／完了」を示す項目と、が設定されている。例えば、ユーザがユーザ端末１２の入力部５７を介して、小目標として「あいさつ」を選択した場合には、「あいさつ」の小目標のチェック項目に対応するチェックボックスにチェックマーク（レ点）が付される。
ユーザが、ユーザ端末１２の入力部５７を介して各小目標に対応するチェックボックスに対し、チェックマーク（レ点）を付したり、クリック操作を行うと、中目標に対する小目標が順位順にウィンドウとしてポップアップする。次に、図７を参照して、順位順に提示された小目標の提示形態について説明する。
【００３７】
図７は、順位順に提示された小目標の提示形態を示す図である。図７に示すように、中目標に対応した各小目標と、各小目標に対応した順位と、が提示されている。
小目標に対応した順位は、他のユーザにより、当該小目標が目標の候補として選択された回数の累計の順番により決定される。小目標の順位が提示されることにより、他のユーザが何れの目標を選択したかを明示され、ユーザの適切な目標設定の支援をすることができる。
【００３８】
図４に戻り、提示制御部１１３は、複数の大分類毎に複数の小分類を、提示形態設定部により設定された提示形態で提示する制御を実行する。具体的には、提示制御部１１３は、提示形態設定部１１２において設定された提示形態でチェックシートを構成する。そして、提示制御部１１３は、構成したチェックシートをユーザ端末１２において提示する制御を実行するために、構成したチェックシートの情報をユーザ端末１２に送信する。
【００３９】
引き続き図４を参照しつつ、目標設定アシストシステム１０のうち、ユーザ端末１２の機能的構成について説明する。
ユーザ端末１２のＣＰＵ５１においては、目標設定アシスト処理の実行が制御される場合、ユーザ情報生成部１２１と、情報送受信部１２２と、情報提示部１２３と、が機能する。
【００４０】
ユーザ情報生成部１２１は、ユーザの心理検査に対する解答を入力部５７（図３参照）を介して受け付ける。ユーザ情報生成部１２１は、受け付けたユーザの心理検査の解答結果に基づいて、心理検査結果情報を生成する。ユーザ情報生成部１２１は、生成した心理検査結果情報を情報送受信部１２２へ供給する。
【００４１】
情報送受信部１２２は、ユーザ情報生成部１２１により心理検査結果情報が生成された場合には、生成された心理検査結果情報を通信部５９（図３参照）を介して情報処理装置１１へ送信する。
また、情報送受信部１２２は、情報処理装置１１からチェックシート構成情報が送信された場合には、通信部５９（図３参照）を介して改善情報を受信する。
【００４２】
情報提示部１２３は、情報処理装置１１から送信されてきたチェックシート構成情報に基づいたチェックシートを、出力部５６のディスプレイに提示する制御を実行する。
【００４３】
以上、目標設定アシストシステム１０を構成する情報処理装置１１およびユーザ端末１２の各機能的構成について説明した。次に、目標設定アシストシステム１０を構成する情報処理装置１１およびユーザ端末１２が目標設定アシスト処理をそれぞれ実行する場合における相互の処理の関係について、図８を参照して説明する。
図８は、図１の目標設定アシストシステム１０を構成する情報処理装置１１およびユーザ端末１２が目標設定アシスト処理をそれぞれ実行する場合における相互の処理の関係について説明するアローチャートである。
【００４４】
ステップＳ１１において、ユーザ端末１２のユーザ情報生成部１２１は、ユーザの心理検査の解答を入力部５７を介して受け付け、受け付けた心理検査の結果に基づいて心理検査結果情報を生成する。そして、情報送受信部１２２は、生成した心理検査結果情報を情報処理装置１１へ送信する。
【００４５】
ステップＳ１２において、情報処理装置１１の心理検査結果取得部１１１は、ユーザ端末１２から送信された心理検査結果情報を受信して心理検査結果記憶部１３１に記憶する。
【００４６】
ステップＳ１３において、情報処理装置１１の心理検査結果取得部１１１は、心理検査結果記憶部１３１から心理検査結果情報を取得する。
【００４７】
ステップＳ１４において、情報処理装置１１の提示形態設定部１１２は、過去ログＤＢ１３２を参照して、ユーザと同一又は類似の心理検査の結果を有する人を特定する。
【００４８】
ステップＳ１５において、情報処理装置１１の提示形態設定部１１２は、過去ログＤＢ１３２を参照して、ステップＳ１４において特定した人の設定目標を抽出する。
【００４９】
ステップＳ１６において、情報処理装置１１の提示形態設定部１１２は、目標項目ＤＢ１３３を参照して、ステップＳ１５において抽出した設定目標に基づいて、チェック項目の提示形態を設定する。
【００５０】
ステップＳ１７において、情報処理装置１１の提示形態設定部１１２は、ステップＳ１６において設定した提示形態でチェックシートを構成する。
【００５１】
ステップＳ１８において、情報処理装置１１の提示制御部１１３は、ステップＳ１７において構成されたチェックシート構成情報をユーザ端末１２へ送信する。
【００５２】
ステップＳ１９において、ユーザ端末１２の情報送受信部１２２は、情報処理装置１１から送信されたチェックシート構成情報を受信する。
【００５３】
ステップＳ２０において、ユーザ端末１２の情報提示部１２３は、ステップＳ１９において受信されたチェックシート構成情報に基づくチェックシートを出力部５６から出力して提示する。この処理が終了すると、目標設定アシスト処理は終了となる。
【００５４】
以上説明したように、大目標毎に複数の中目標又は小目標を、ユーザにより設定されるチェック項目として提示する情報処理装置１１は、心理検査結果取得部１１１と、提示形態設定部１１２と、提示制御部１１３と、を備える。
心理検査結果取得部１１１は、ユーザが受けた心理検査の結果を取得する。提示形態設定部１１２は、心理検査の結果に応じて、チェックシートに提示する中目標又は小目標のチェック項目の提示形態を設定する。提示制御部１１３は、複数の大目標毎に複数の中目標又は小目標のチェック項目を、提示形態設定部１１２により設定された提示形態で提示する制御を実行する。
これにより、各ユーザの心理検査の結果に応じて中目標又は小目標のチェック項目の提示形態を設定することができる。したがって、設定された提示形態の形式でチェックシートを提示することにより、心理検査の結果が示すユーザの心理にとって好適な目標設定の候補を提示するチェックシートを、ユーザ毎に提供することができる。その結果、個々のユーザに対し適切な目標設定の支援をすることができる。
【００５５】
さらに、本実施形態の情報処理装置１１の提示形態設定部１１２は、過去に目標に到達した複数の人毎に、心理検査の結果と設定目標とが対応付けられて記憶されている過去ログＤＢ１３２を参照して、ユーザと同一又は類似の心理検査の結果を有する人を特定し、当該人の設定目標を過去ログＤＢ１３２から抽出し、当該設定目標に基づいて中目標又は小目標のチェック項目の提示形態を設定する。
これにより、過去のユーザの心理検査の結果と目標とに基づいて中目標又は小目標の提示形態を設定することができる。したがって、設定されたチェック項目の提示形態の形式でチェックシートを提示することにより、ユーザの心理にとって好適な目標設定の候補を提示するチェックシートを、過去のユーザの心理結果とその心理結果に対応する目標と、に基づいてユーザ毎に提供することができる。その結果、個々のユーザに対し適切な目標設定の支援をすることができる。
【００５６】
なお、本発明は、上述の実施形態に限定されるものではなく、本発明の目的を達成できる範囲での変形、改良等は本発明に含まれるものである。
【００５７】
上述の実施形態では、提示形態設定部１１２は、心理検査の結果に応じて、チェックシートに提示する中目標又は小目標のチェック項目の提示形態を設定しているがこれに限られるものではない。例えば、提示形態設定部１１２は、複数の大目標毎に、複数の中目標又は小目標の中で設定対象として推薦すべき中目標又は小目標のチェック項目の提示形態を、他の中目標又は小目標のチェック項目とは異なる提示形態で設定することができる。
推薦すべき中目標又は小目標とは、複数の中目標や小目標のうち、当該目標が選択されることにより、ユーザにとって有益であると考えられる目標である。推薦すべき中目標や小目標は１つでもよいし、複数設定することもできる。推薦すべき中目標又は小目標の情報は、予め目標項目ＤＢ１３３に記憶してもよいし、ユーザが任意に設定することもできる。
他の中目標又は小目標のチェック項目とは異なる提示形態とは、例えば、中目標や小目標のチェック項目を構成するチェックボックスに予め、チェックマーク（レ点）を付したり、当該チェック項目を他のチェック項目と比較して上方に配置したり、他のチェック項目と比較して目立つように発光、着色、太字にしたりする提示形態をいう。
これにより、ユーザに推薦すべき中目標又は小目標の提示形態を設定することができる。したがって、設定されたチェック項目の提示形態の形式でチェックシートを提示することにより、ユーザの心理にとって好適な目標設定の候補を提示するチェックシートを、推薦すべき提示形態で、ユーザ毎に提供することができる。その結果、個々のユーザに対し適切な目標設定の支援をすることができる。また、予めチェックマーク（レ点）を付しておくことにより、ユーザが特に変更しない場合には、ユーザのチェック項目の選択操作が省略でき、ユーザの手間を省くことができる。
【００５８】
また、上述の実施形態では、提示形態設定部１１２は、心理検査の結果に応じて、チェックシートに提示する小分類の提示形態を可変設定しているが、提示形態を可変設定するためのものは、これに限られるものではない。
例えば、提示形態設定部１１２は、業務や会社等のパラメータに応じて、小分類の提示形態を可変して設定することができる。
例えば、受付の業務を行うユーザが使用する場合には、提示形態設定部１１２は、大目標の「土台」の小分類のチェック項目を増加して設定する。
また、例えば、経営戦略の業務を行うユーザが使用する場合には、提示形態設定部１１２は、大目標の「マネジメントスキル」の小分類のチェック項目を増加して設定する。
これにより、業種や規模等で分類される分野の企業にとって好適なチェックシートを提供することができる。
【００５９】
また、上述の実施形態では、提示形態設定部１１２は、心理検査の結果に応じて、チェックシートに提示する小分類の提示形態を設定しているがこれに限られるものではない。例えば、提示形態設定部１１２は、複数の大分類を相互に関連させて、小分類の提示形態を設定することができる。
例えば、ユーザが、目標の第１大分類（土台）、目標の第２大分類（ビジネススキル）の順に目標設定する場合について説明する。
この場合、提示形態設定部１１２は、最初は目標の第１大分類（土台）のみに、複数の小分類（マナー、積極性等）をチェック項目として設定する。そして、提示制御部１１３は、設定したチェック項目に基づくチェックシートをユーザに提示する制御を実行する。ユーザは、提示された第１大分類（土台）に対応する複数の小分類の中から１以上の小分類を選択する。
そして、提示形態設定部１１２は、ユーザの選択結果に応じて、目標の第２大分類（ビジネススキル）についての複数の小分類の提示形態（内容、数、順番）を可変して設定する。
例えば、複数の小分類の中からユーザにより「マナー」のチェック項目が選択された場合、提示形態設定部１１２は、「マナー」と関連の深い「ビジネススキル」の小分類の提示形態として「聞く力」を設定する。
また、例えば、複数の小分類の中からユーザにより「積極性」のチェック項目が選択された場合、提示形態設定部１１２は、「積極性」と関連の深い「ビジネススキル」の小分類の提示形態として「書く力」を設定する。
これにより、各分類が相互に関連した提示形態で提供することができる。したがって、ユーザが目標を設定する際の効率を向上させることができる。
【００６０】
また、上述の実施形態では、心理検査の結果に応じて、提示する中目標の項目の内容を設定しているがこれに限られるものではなく、心理検査の結果に応じて、提示する中目標の項目の順番を設定することができる。例えば、ユーザの心理検査の結果として、「他人の意見を聞かない傾向がある」、と強く判断された場合には、提示形態設定部１１２は、「聞く力」を中目標の一番上方に提示する提示形態として設定することができる。
【００６１】
また、上述の実施形態では、心理検査の結果に応じて、提示する中目標の項目の内容を設定しているがこれに限られるものではなく、心理検査の結果に応じて、提示する中目標の項目の個数を設定することができる。例えば、ユーザの心理検査の結果として、欠点が多いと判断された場合には、提示形態設定部１１２は、提示する中目標の数が多い提示形態を設定することができる。これに対して、ユーザの心理検査の結果として、欠点が少ないと判断された場合には、提示形態設定部１１２は、提示する中目標の数が少ない提示形態を設定することができる。
【００６２】
また、上述の実施形態では、心理検査の結果に応じて、小分類の提示形態を設定しているがこれに限られるものではない。例えば、提示形態設定部１１２は、過去ログＤＢ１３２を参照して、ユーザと同一又は類似の心理検査の結果を有する人を特定する。そして、提示形態設定部１１２は、当該人の設定目標を過去ログＤＢ１３２から抽出し、当該設定目標に基づいて小分類の提示形態を設定することができる。
【００６３】
また、上述の実施形態では、心理検査の結果に応じて、小分類の提示形態を設定しているがこれに限られるものではない。例えば、提示形態設定部１１２は、複数の大分類毎に、複数の小分類の中で設定対象として推薦すべき小分類の提示形態を、他の小分類とは異なる提示形態で設定することができる。
【００６４】
また、上述の実施形態では、心理検査結果取得部１１１は、心理検査結果記憶部１３１に記憶された心理検査結果情報を取得しているがこれに限られるものではない。例えば、心理検査結果取得部１１１は、ユーザ端末１２から適宜送信された心理検査結果情報を直接取得することができる。
【００６５】
また、上述の実施形態では、チェックシートの列には、ユーザの地位を示す複数の階層として、それぞれ「新人」、「中堅」、「管理職」、「営業」、「その他」が設定されているがこれに限られるものではない。例えば、ユーザの役職、キャリア、資格、運動能力、レースのタイム、性別、年齢、人種、使用言語等、様々な類別を設定することができる。
【００６６】
また、上述の実施形態では、本発明が適用される情報処理装置１１は、パーソナルコンピュータを例として説明したが、特にこれに限定されない。
例えば、本発明は、送受信機能を有する電子機器一般に適用することができる。具体的には、例えば、本発明は、ノート型のパーソナルコンピュータ、テレビジョン受像機、ビデオカメラ、携帯型ナビゲーション装置、携帯電話機、ポータブルゲーム機等に適用可能である。
【００６７】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００６８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６９】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ２２や、図２の記憶部２８に含まれるハードディスク等で構成される。
【００７０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００７１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００７２】
１０・・・目標設定アシストシステム、１１・・・情報処理装置、１２・・・ユーザ端末、２１・・・ＣＰＵ、２２・・・ＲＯＭ、２３・・・ＲＡＭ、２４・・・バス、２５・・・入出力インターフェース、２６・・・出力部、２７・・・入力部、２８・・・記憶部、２９・・・通信部、３０・・・ドライブ、４１・・・リムーバブルメディア、１１１・・・心理検査結果取得部、１１２・・・提示形態設定部、１１３・・・提示制御部、１２１・・・ユーザ情報生成部、１２２・・・情報提示部、１２３・・・情報送受信部、１３１・・・心理検査結果記憶部、１３２・・・過去ログＤＢ、１３３・・・目標項目ＤＢ
【図１】
2014067363.tif 000003
【図２】
2014067363.tif 000004
【図３】
2014067363.tif 000005
【図４】
2014067363.tif 000006
【図５】
2014067363.tif 000007
【図６】
2014067363.tif 000008
【図７】
2014067363.tif 000009
【図８】
2014067363.tif 000010